(57)【要約】【課題】時刻表示の使い勝手を良くすることができる電子機器とその時刻表示方法を提供する。【解決手段】時刻を計時する計時手段１７、計時手段１７が計時する時刻を調整する調整手段４０、及び、計時手段４０の時刻を出力する出力手段１１Ａを有した機器本体１と、機器本体１の出力手段１１Ａが出力している時刻を受信して表示する表示体２と、を備えた電子機器１００において、表示体２は、機器本体１と独立して時刻を計時する表示側計時手段２２を備え、機器本体１は、計時手段１７が計時する時刻が初期化された場合、当該時刻の調整が行われるまでの間、時刻とともに、当該時刻が未調整である事を示す未調整フラグを出力手段１１Ａから出力し、表示体２は、未調整フラグが入力されている場合には、表示側計時手段２２が計時する時刻を表示することを特徴とする。【選択図】図３
2012173199.tif 000002
【特許請求の範囲】
【請求項１】
時刻を計時する計時手段、前記計時手段が計時する時刻を調整する調整手段、及び、前記計時手段の時刻を出力する出力手段を有した機器本体と、
前記機器本体の出力手段が出力している時刻を受信して表示する表示体と、を備えた電子機器において、
前記表示体は、
前記機器本体と独立して時刻を計時する表示側計時手段を備え、
前記機器本体は、
前記計時手段が計時する時刻が初期化された場合、当該時刻の調整が行われるまでの間、時刻とともに、当該時刻が未調整である事を示す未調整フラグを前記出力手段から出力し、
前記表示体は、前記未調整フラグが入力されている場合には、前記表示側計時手段が計時する時刻を表示する
ことを特徴とする電子機器。
【請求項２】
前記表示体は、
前記未調整フラグが入力されている場合には、前記計時手段が計時する時刻が調整されるまで、前記表示側計時手段が計時する時刻を表示する
ことを特徴とする請求項１又は２に記載の電子機器。
【請求項３】
前記機器本体の出力手段は、
前記機器本体の計時手段が計時する時刻の調整後、当該時刻が調整済みである事を示す調整済みフラグを出力することを特徴とする請求項１又は２に記載の電子機器。
【請求項４】
前記機器本体の調整手段は、
前記計時手段が計時する時刻が初期化された場合、前記表示体の表示側計時手段が計時する時刻に基づいて前記計時手段が計時する時刻を調整する
ことを特徴とする請求項１乃至３に記載の電子機器。
【請求項５】
時刻を計時し当該時刻を調整可能に構成された機器本体と、前記機器本体が出力する時刻を表示する表示体とを備えた電子機器の時刻表示方法において、
前記表示体は、
前記機器本体と独立して時刻を計時し、
前記機器本体は、
計時する時刻が初期化された場合、当該時刻の調整が行われるまでの間、時刻とともに、当該時刻が未調整である事を示す未調整フラグを出力し、
前記表示体は、
前記未調整フラグが入力されている場合には、前記表示側計時手段が計時する時刻を表示することを特徴とする電子機器の時刻表示方法。
【発明の詳細な説明】
【技術分野】
【０００１】
本発明は、時刻を表示する時計機能を備えた電子機器とその時刻表示方法に関する。
【背景技術】
【０００２】
従来、時刻を計時する計時手段を備え、この計時手段から出力される時刻を表示ユニットに表示する電子機器が知られている（例えば、特許文献１参照）。この種の電子機器としては、例えば、車両のダッシュボード等のユーザーが操作しやすい位置に配設された機器本体としてのヘッドユニットと、ユーザーが見やすい位置にヘッドユニットとは別に配設された表示体としての表示ユニットとを備え、ヘッドユニットから出力される時刻を表示ユニットに表示する、例えばオーディオ装置などの車載装置が知られている。この種の車載装置は、ヘッドユニットに計時手段が計時する時刻の調整を行う調整手段を備え、ユーザーは、この調整手段の操作によって表示ユニットに表示する時刻の調整を行うことができるように構成されている。
【先行技術文献】
【特許文献】
【０００３】
【特許文献１】特開昭６０−２３７５２３号公報
【発明の概要】
【発明が解決しようとする課題】
【０００４】
しかしながら、ヘッドユニットが車両から取り外される等した場合には、計時手段が計時する時刻が初期化され、時刻が未調整の状態に戻ってしまう。これに伴い、表示ユニットに表示される時刻も初期化されている時刻となってしまい、使い勝手が良くなかった。
本発明は、上述した従来の技術が有する課題を解消し、時刻表示の使い勝手を良くすることができる電子機器とその時刻表示方法を提供することを目的とする。
【課題を解決するための手段】
【０００５】
上記目的を達成するために、本発明は、時刻を計時する計時手段、前記計時手段が計時する時刻を調整する調整手段、及び、前記計時手段の時刻を出力する出力手段を有した機器本体と、前記機器本体の出力手段が出力している時刻を受信して表示する表示体と、を備えた電子機器において、前記表示体は、前記機器本体と独立して時刻を計時する表示側計時手段を備え、前記機器本体は、前記計時手段が計時する時刻が初期化された場合、当該時刻の調整が行われるまでの間、時刻とともに、当該時刻が未調整である事を示す未調整フラグを前記出力手段から出力し、前記表示体は、前記未調整フラグが入力されている場合には、前記表示側計時手段が計時する時刻を表示することを特徴とする。
【０００６】
この構成において、前記表示体は、前記未調整フラグが入力されている場合には、前記計時手段が計時する時刻が調整されるまで、前記表示側計時手段が計時する時刻を表示する構成としても良い。また、前記機器本体の調整手段は、前記機器本体の計時手段が計時する時刻の調整後、前記フラグを調整済みとする構成としても良い。また、前記機器本体の出力手段は、前記機器本体の計時手段が計時する時刻の調整後、当該時刻が調整済みである事を示す調整済みフラグを出力する構成としても良い。また、前記機器本体の調整手段は、前記計時手段が計時する時刻が初期化された場合、前記表示体の表示側計時手段が計時する時刻に基づいて前記計時手段が計時する時刻を調整する構成としても良い。
【０００７】
また、本発明は、時刻を計時し当該時刻を調整可能に構成された機器本体と、前記機器本体が出力する時刻を表示する表示体とを備えた電子機器の時刻表示方法において、前記表示体は、前記機器本体と独立して時刻を計時し、前記機器本体は、計時する時刻が初期化された場合、当該時刻の調整が行われるまでの間、時刻とともに、当該時刻が未調整である事を示す未調整フラグを出力し、前記表示体は、前記未調整フラグが入力されている場合には、前記表示側計時手段が計時する時刻を表示することを特徴とする。
【発明の効果】
【０００８】
本発明によれば、時刻を計時する計時手段、前記計時手段が計時する時刻を調整する調整手段、及び、前記計時手段の時刻を出力する出力手段を有した機器本体と、前記機器本体の出力手段が出力している時刻を受信して表示する表示体と、を備えた電子機器において、機器本体の計時手段が計時する時刻が初期化されている場合、又は未調整の場合でも、機器本体と独立して時刻を計時する表示側計時手段が計時する時刻を表示ユニットに表示することができ、時刻表示の使い勝手を良くすることができるという効果を奏する。
【図面の簡単な説明】
【０００９】
【図１】本発明の実施形態に係る電子機器を構成する機器本体と表示体の配置例を示す図である。
【図２】機器本体と表示体の正面図である。
【図３】電子機器の機能的構成を示すブロック図である。
【図４】電子機器の動作を示すフローチャートである。
【図５】別の実施形態の電子機器の動作を示すフローチャートである。
【発明を実施するための形態】
【００１０】
以下、図面を参照して本発明の実施形態について説明する。
図１は、本発明を適用した実施形態に係る電子機器１００を構成する機器本体１（ヘッドユニット）１と表示体２の配置例を示す図である。機器本体１と、表示体２は、表示体２を動作させた状態で、機器本体１のみ停止させ得るように構成される。本実施形態においては、機器本体１と、表示体２は、別体に形成され、不図示の接続用ケーブルで接続されて車両１１０に搭載される。機器本体１と、表示体２は、それぞれ別の電源系統を介して車両１１０の電源に接続される。
機器本体１は、例えば図１に示したように、ダッシュボード１１１の下部中央など前部座席の搭乗者にとって操作しやすい位置に配設される。表示体２は、例えば、ダッシュボード１１１の上部中央など車両１１０の搭乗者にとって見やすい位置に配設される。表示体２は、図示は省略したが、後部座席用のオーバーヘッドモニターやリアモニターである構成としても良い。表示体２には、時刻９が表示される。時刻９には、等分方式の１２時制の時刻、或いは、２４時制の時刻、さらに、日付等が表示される構成であっても良い。時刻９の表示方式は、ユーザーによって調整可能な構成であっても良い。
【００１１】
図２は、電子機器１００を構成する機器本体１と表示体２の正面図である。なお、図２に示した表示体２の表示状態は、一態様を示すものであり、表示位置や表示の様態はこれに限定されるものではない。機器本体１と表示体２は、ユニット間を繋ぐ接続用ケーブルを介してユニット間通信を行う。
【００１２】
機器本体１は、車両に搭載される複数の音源、すなわち、機器本体１に内蔵されたＣＤ再生部１４、及び、ＦＭ／ＡＭチューナーである受信部１３、或いは、機器本体１に外部通信部１１を介して接続される不図示のＴＶチューナー、ＤＶＤプレーヤー等を制御する。なお、本実施形態において、音源とは、音声信号を出力するオーディオ装置、及びに、音声信号とともに映像信号を出力する映像再生装置を総称するものである。
機器本体１は、図示は省略したが、車両のバッテリーに直結されるバックアップ電源と、キースイッチを介して車両のバッテリーに接続されたＡＣＣ電源とが供給されている。そのため、ＡＣＣ電源がオフの間は、バックアップ電源が供給される。
【００１３】
機器本体１には、操作キー４が設けられ、操作キー４を操作することにより、複数の音源の中から所望の音源を選択し、選択した音源から出力される信号を調整することができる。操作キー４は、機器本体１の正面に設けられている。操作キー４は、例えば、機器本体１に着脱自在に取り付けられるコントロールパネルに設けられる構成であっても良い。
【００１４】
操作キー４として、ボリュームキー４Ａ、ＦＭラジオ音源ボタン４Ｂ、ＡＭラジオ音源ボタン４Ｃ、ＣＤ（Ｃｏｍｐａｃｔ  Ｄｉｓｃ）音源ボタン４Ｄ、Ｃｌｏｃｋボタン４Ｅ、サーチボタン４Ｆ、メモリーボタン４Ｇ、ダイレクトボタン４Ｈ、イジェクトボタン４Ｉが設けられている。また、コントロールパネル３の正面にはＣＤの挿入口５が設けられている。
【００１５】
ボリュームキー４Ａは、ノブの回転操作によってボリューム（音量）が調整される。ボリュームキー４Ａは、また、押下操作によって機器本体１の電源がオン・オフされる構成であっても良い。ボリュームキー４Ａは、コントロールパネル３の左右にそれぞれ設けられ、車両の運転者、或いは、助手席の搭乗者のどちらからでも容易にボリューム操作ができるように構成されている。
【００１６】
ＦＭラジオ音源ボタン４Ｂは、音源ソースをＦＭラジオ音源に切り替えるための押下式のボタンであり、押下されることでＦＭラジオ音源が音源ソースとして選択される。
ＡＭラジオ音源ボタン４Ｃは、音源ソースをＡＭラジオ音源に切り替えるための押下式のボタンであり、押下されることでＡＭラジオ音源が音源ソースとして選択される。
【００１７】
ＣＤ（Ｃｏｍｐａｃｔ  Ｄｉｓｃ）音源ボタン４Ｄは、音源ソースをＣＤ音源に切り替えるための押下式のボタンであり、押下されることでＣＤ音源が音源ソースとして選択される。
Ｃｌｏｃｋボタン４Ｅは、表示体２に表示する後述の時刻９の調整を行うための押下式のボタンであり、押下されることで時刻の調整が可能となり、ユーザーは、Ｃｌｏｃｋボタン４Ｅを押下する操作をした後に、後述のサーチボタン４Ｆを操作して時刻の調整を行う。つまり、Ｃｌｏｃｋボタン４Ｅ、及び、サーチボタン４Ｆは、ユーザー操作によって表示体２に表示する時刻の調整を行うための時刻調整手段（調整手段）４０として機能する。
サーチボタン４Ｆは押下式のボタンであり、ＦＭラジオ音源、或いは、ＡＭラジオ音源が音源ソースとして選択されているさいに、視聴する放送局の選局に用いられる。サーチボタン４Ｆは、また、ＣＤ音源が音源ソースとして選択されているさいに、ＣＤに収録されている楽曲の選曲に使用されるとともに、長押しされた場合には、再生中の楽曲の早送り／早戻しを行う。
【００１８】
メモリーボタン４Ｇは、選局された放送局を登録するさいに用いられる押下式のボタンであり、押下されることで選局中の放送局を後述するダイレクトボタン４Ｈのいずれかに割り当てて登録することができる。
ダイレクトボタン４Ｈは、複数の押下式のボタンから構成され、それぞれのボタンに紐づけてＦＭラジオ、或いは、ＡＭラジオの放送局を登録することができる。ＦＭラジオ音源、或いは、ＡＭラジオ音源が音源ソースとして選択されているさいに、複数のダイレクトボタン４Ｈのいずれかが押下されると、押下されたダイレクトボタン４Ｈに割り当てて登録されている放送局が呼び出されて、この放送局が音源ソースとして選択される。
ダイレクトボタン４Ｈに放送局を登録するさいには、メモリーボタン４Ｇの押下操作を行って登録する放送局を指定し、この放送局を登録するダイレクトボタン４Ｈを例えば長押しすることで、当該ダイレクトボタン４Ｈに任意の放送局を登録することができる。
【００１９】
イジェクトボタン４Ｉは、押下式のボタンであり、機器本体１内部にＣＤが入っているときに押されると、挿入口５からのＣＤの排出動作がおこなわれる。
機器本体１は、また、図示は省略したが、携帯音響機器などの外部機器を通信可能に接続する入力端子を備え、当該入力端子に外部機器が接続されたときには、この外部機器を音源ソースとして選択することができる構成であっても良い。
【００２０】
表示体２は、車両のダッシュボード上、或いは、座席頭上に設けられ、機器本体１とユニット間通信を行う。表示体２は、車両のバッテリーに直結されるバックアップ電源と、キースイッチを介して車両のバッテリーに接続されたＡＣＣ電源とが供給され、ＡＣＣ電源がオフの間は、バックアップ電源が供給される。
表示体２は、液晶表示パネルや有機ＥＬ（Ｅｌｅｃｔｒｏ  Ｌｕｍｉｎｅｓｃｅｎｃｅ）ディスプレイ等の表示パネル６を備え、表示パネル６に、選択されている音源ソースを示すインジケーター７、選局されているラジオ放送の放送局や選曲されている楽曲等に関する情報であるオーディオ情報８、及び、現在時刻、或いは、ユーザーが任意に設定した時刻に基づく時刻９を表示することができる。
【００２１】
図３は、電子機器１００を構成する機器本体１及び表示体２の機能的構成を示すブロック図である。
機器本体１は、マイコン１０と、外部通信部１１と、入力部１２と、受信部１３と、ＣＤ再生部１４と、音響出力部１５と、スピーカー１６とを備える。
マイコン１０は、機器本体１の各部の制御を実行するものであり、図示は省略したが制御手段としてのＣＰＵ、記憶手段としてのＲＯＭやＲＡＭを備えている。ＲＯＭには、ＣＰＵに実行される基本制御プログラムがコンピューターに読み取り可能な形態で不揮発的に記憶されている。ＲＡＭには、ＣＰＵに実行されるプログラムやこのプログラムに係るデータ等が一時的に記憶される。マイコン１０は、また、その他の周辺回路等を備えている。
【００２２】
マイコン１０は、また、計時部（計時手段）１７を備え、この計時部１７が計時する時刻を外部通信部１１Ａを介して表示体２に出力する。計時部１７は、ハードウェアーの内蔵時計と、ＲＡＭに記憶された計時プログラムとから構成され、機器本体１の起動時に、ハードウェアーの内蔵時計が保持する時刻を参照して計時プログラムの時刻を合わせ、計時プログラムが計時する時刻を表示体２に出力する。機器本体１の終了時には、計時プログラムが計時した時刻を内蔵時計に書き戻す。
【００２３】
また、ユーザーによって入力部１４の時刻調整手段４０を介して表示体２の表示パネル６に表示された時刻９が調整されたときには、この調整結果が計時プログラムが計時する時刻に反映され、機器本体１の終了時には、内蔵時計の時刻が、ユーザーの調整結果が反映された時刻に書きかえられる。また、ユーザーが時刻調整手段４０を介して時刻９を調整した場合には、機器本体１の計時部１７が出力する時刻に対して、マイコン１０は時刻が調整済みである旨を示すフラグを付して表示体２に時刻を出力する。
計時部１７には、車両の駆動時には、キースイッチを介して車両のバッテリーに接続されたＡＣＣ電源が供給され、ＡＣＣ電源がオフの間は、バックアップ電源が供給されるため、ハードウェアーの内蔵時計の動作が継続される。
【００２４】
機器本体１が車両から取り外される等によって機器本体１へ車両のバッテリーからの電源供給が止まると、機器本体１の再始動時に計時部１７の内蔵時計が初期化される。そのため、機器本体１の再始動時には、計時プログラムは、内蔵時計の初期値からの時刻を計時する、或いは、計時プログラムは、時刻の計時ができない状態となる。マイコン１０は、計時部１７から出力される時刻が内蔵時計の初期値に基づく場合には、時刻が未調整である事を示すフラグを時刻に付して表示体２に出力する。計時部１７が時刻の計時ができない状態となった場合には、マイコン１０は時刻を表示体２へ出力しない構成であっても良い。
計時部１７の内蔵時計は、機器本体１への電源供給が停止した場合の再始動時以外にも、ＲＯＭに記憶された種々の制御プログラム、或いは、ＲＡＭに記憶された計時プログラム等の各種プログラムの更新時、また、プログラムの暴走などでマイコン１０のリセット動作が起こった時などにも初期化される。
【００２５】
外部通信部１１は、機器本体１と表示体２とのユニット間通信を確立するための外部通信部（出力手段）１１Ａと、機器本体１に接続される携帯音響機器などの外部機器との通信を確立するための外部通信部１１Ｂとを備える。外部通信部１１Ｂは、複数設けられる構成であっても良い。
入力部１２は、操作キー４を備え、ユーザーの操作キー４に対する操作を検出してマイコン１０に出力する。例えば、ユーザーにより操作キー４の一つであるボリュームキー４Ａが回転操作され、ユーザーによりボリューム調整が行われた場合には、かかる回転操作量が図示せぬエンコーダーにより検出され、マイコン１０に出力される。マイコン１０は、この回転操作量に基づいて、後述する音響出力部１５を制御して出力する音量を調整する。
入力部１２は、また、表示体２の表示パネル６に重ねて配設された不図示のタッチパネルを備える構成であっても良い。この場合、表示パネル６に表示される操作メニューに対するユーザーのタッチ操作を検出してマイコン１０に出力する。
【００２６】
受信部１３は、ＦＭ／ＡＭ波のラジオ放送を受信するものであり、アンテナ１８と、不図示のチューナー回路とを備える。受信部１３は、マイコン１０の制御の下、マイコン１０の自紙に基づいて所定の放送局からのラジオ放送を受信し、音声信号を音響出力部１５に出力する。
ＣＤ再生部１４は、マイコン１０の制御の下、ＣＤ再生部に挿入されたＣＤに記録されている音楽データを読み取り、音声信号を音響出力部１５に出力する。
【００２７】
音響出力部１５は、マイコン１０の制御の下、受信部１３、及び、ＣＤ再生部１４の各々からの音声信号に基づいて音声を出力するものであり、図示は省略したが、ＤＳＰ（Ｄｉｇｉｔａｌ  Ｓｉｇｎａｌ  Ｐｒｏｃｅｓｓｏｒ）、電子ボリューム回路、及び、アンプを備える。音響出力部１５は、マイコン１０の制御の下、入力される音声信号に対して、ＤＳＰで例えばフィルター処理やイコライザ処理、音声信号が符号化されている場合にデコード処理といったデジタル音声信号処理を施して、電子ボリューム回路に出力し、電子ボリューム回路で、再生音量を調整すべく、音声信号をＤ／Ａ変換した後に、信号の振幅レベルを調整してアンプに出力し、アンプで音声信号を増幅してスピーカー１６に出力するものである。
【００２８】
表示体２は、表示側マイコン２０と、外部通信部２１と、表示パネル６とを備える。表示体２は、機器本体１とは別の電源系統を介して１００の電源に接続されているため、機器本体１が車両から取り外される等して停止した場合においても、表示体２の動作は継続される。
表示側マイコン２０は、表示体２の各部の制御を実行するものであり、図示は省略したが制御手段としてのＣＰＵ、記憶手段としてのＲＯＭやＲＡＭを備えている。ＲＯＭには、ＣＰＵに実行される基本制御プログラムがコンピューターに読み取り可能な形態で不揮発的に記憶されている。ＲＡＭには、ＣＰＵに実行されるプログラムやこのプログラムに係るデータ等が一時的に記憶される。表示側マイコン２０は、また、その他の周辺回路等を備えている。
【００２９】
表示側マイコン２０は、さらに、表示側計時部（計時手段）２２を備え、この表示側計時部２２が計時する時刻を取得し、表示側計時部２２が計時した時刻に基づいて表示パネル６に時刻９を表示することができる。表示側計時部２２は、上述の機器本体１側が有する計時部１７とは、独立して時刻を計時する。表示側計時部２２は、ハードウェアーの内蔵時計と、ＲＡＭに記憶された計時プログラムとから構成される。表示側計時部２２には、車両の駆動時には、キースイッチを介して車両のバッテリーに接続されたＡＣＣ電源が供給され、ＡＣＣ電源がオフの間は、バックアップ電源が供給されるため、ハードウェアーの内蔵時計の動作が継続される。
【００３０】
表示体２の電源がオンになると、表示側マイコン２０は、表示側計時部２２で時刻の計時をおこなう。詳述すると、表示側マイコン２０は、ＲＡＭに記憶されている計時プログラムを起動し、ハードウェアーの内蔵時計が保持する時刻を参照して計時プログラムの時刻を合わせ、計時プログラムによる時刻の計時を行う。表示体２の終了時（電源がオフされたさい）には、計時プログラムが計時した時刻を内蔵時計に書き戻す。
【００３１】
表示側マイコン２０は、機器本体１から入力された時刻に未調整のフラグが付されている場合、或いは、機器本体１から時刻が入力されない場合には、表示パネル６に表示する時刻９を表示側計時部２２で計時した時刻に基づく表示に切り替える。表示側マイコン２０は、表示側計時部２２で計時した時刻を表示パネル６に出力した後に、機器本体１から調整済みフラグが付された時刻が入力された場合には、表示パネル６に表示する時刻９を機器本体１から入力された時刻に基づく表示に切り替える。表示体２は、時計調整手段を備えないため、機器本体１から調整済みフラグが付された時刻が入力された場合には、機器本体１から入力される時刻を優先的に表示するように構成されている。これによって、ユーザーが任意に設定した時刻を優先的に表示体２に表示することができる。
【００３２】
外部通信部２１は、表示体２と機器本体１とのユニット間通信を確立するための外部通信部２１Ａと、表示体２に接続される画像情報等を格納したリムーバブルメディア、或いは、画像再生装置等の外部機器との通信を確立するための外部通信部２１Ｂとを備える。外部通信部２１Ｂは、複数設けられる構成であっても良い。
表示パネル６には、表示側マイコン２０の制御の下、外部通信部２１を介して表示体２に接続される機器本体１、或いは、外部機器から入力される各種画像が表示される。
【００３３】
以上の構成の下、電子機器１００は、機器本体１の計時部１７から出力される時刻、或いは、表示体２の表示側計時部２２から出力される時刻に基づいて、表示パネル６に時刻９を表示する時計機能を備えている。
機器本体１が車両から取り外される等によって、機器本体１の計時部１７の内蔵時計が保持する時刻が初期化されている場合には、機器本体１から表示体２に出力される時刻が内蔵時計の初期値に基づく未調整の状態となる。計時部１７の内蔵時計が保持する時刻が初期化されると、機器本体１は、時刻を表示体２に出力しない、或いは、未調整フラグを付して時刻を表示体２に出力する。表示体２の表示側マイコン２０は、機器本体１から入力される時刻の有無を判定するとともに、機器本体１から入力される時刻に未調整フラグが付されているか否か、或いは、調整済みフラグが付されているか否かを判定し、機器本体１の計時部１７から出力される時刻、或いは、表示体２の表示側計時部２２から出力される時刻のいずれかに基づいて、表示パネル６に時刻９を表示する。
【００３４】
次に、電子機器１００の動作、及び、電子機器１００の時計表示方法について図４のフローチャートを用いて説明する。
表示体２の表示側マイコン２０は、表示パネル６に時刻９を表示するにあたって、まず、機器本体１から時刻が外部通信部２１Ａを介して入力されているかを判定する（ステップＳ１）。機器本体１から、時刻が入力されていると判定すると（ステップＳ１：Ｙｅｓ）、表示側マイコン２０は、機器本体１から入力された時刻に未調整フラグが付されているかを判定する（ステップＳ２）。機器本体１から入力された時刻に未調整フラグが付されていると判定すると（ステップＳ２：Ｙｅｓ）、表示側マイコン２０は、表示側計時部２２から時刻を取得して、表示側計時部２２が出力した時刻に基づいて、表示パネル６に時刻９を表示する（ステップＳ３）。
【００３５】
また、ステップＳ１において、機器本体１から時刻が入力されていないと判定すると（ステップＳ１：Ｎｏ）、表示側マイコン２０は、表示側計時部２２が計時する時刻を取得して、表示側計時部２２が計時する時刻に基づいて表示パネル６に時刻９に表示する（ステップＳ３）。
ステップＳ２において、機器本体１から入力された時刻に未調整フラグが付されていない、或いは、調整済みフラグが付されている判定すると（ステップＳ２：Ｎｏ）、表示側マイコン２０は、機器本体１から受信する時刻に基づいて表示パネル６に時刻９を表示する（ステップＳ５）。
【００３６】
表示パネル６に表示されている時刻９が、表示側計時部２２から出力される時刻に基づいているとき、表示側マイコン２０は、機器本体１から受信する時刻に付される時刻の調整状態を示すフラグを監視し、調整済みフラグが入力されているか否かを判定する（ステップＳ４）。調整済みフラグが付された時刻が入力されたと判定すると（ステップＳ４：Ｙｅｓ）、表示側マイコン２０は、表示パネル６に表示する時刻９を、機器本体１の計時部１７から受信した時刻に基づいた表示に切り替える（ステップＳ５）。機器本体１から入力される時刻が調整されない場合は（ステップＳ４：Ｎｏ）、表示側マイコン２０は、表示側計時部２２が計時する時刻に基づいて表示パネル６に時刻９を表示し続ける。
【００３７】
機器本体１から入力された時刻に未調整フラグが付されている間、表示側マイコン２０は、機器本体１の計時部１７から受信する時刻が未調整の状態であることをユーザーに知らせるために、時刻９を、時刻９が未調整である事を示すメッセージとともに表示パネル６に表示する構成であっても良い。この構成によれば、ユーザーは、機器本体１の計時部１７の内蔵時計が初期化されていることを知ることができ、必要に応じて機器本体１の時刻を調整手段４０を介して調整することができる。
【００３８】
表示側マイコン２０は、ステップＳ４において、調整済みフラグが付された時刻が機器本体１から受信したと判定したときに、機器本体１から受信した時刻に基づいて、表示体２の表示側計時部２２で計時される時刻を書き換える構成であっても良い。この構成によれば、ユーザーが調整した時刻に基づいて表示側計時部２２が計時する時刻が書きかえられるため、次に機器本体１から入力される時刻が初期化されて未調整の状態となったときに、ユーザーが任意に調整した時刻に基づいて表示パネル６に時刻９を表示することができる。
【００３９】
以上説明したように、本実施形態によれば、時刻を計時する計時部１７、計時部１７が計時する時刻を調整する調整手段４０、及び、計時手段４０の時刻を出力する出力手段１１Ａを有した機器本体１と、機器本体１の出力手段１１Ａが出力している時刻を受信して表示する表示体２と、を備えた電子機器１００において、表示体２は、機器本体１と独立して時刻を計時する表示側計時部２２を備え、機器本体１は、計時部１７が計時する時刻が初期化された場合、当該時刻の調整が行われるまでの間、時刻とともに、当該時刻が未調整である事を示す未調整フラグを出力手段１１Ａから出力し、表示体２は、未調整フラグが入力されている場合には、表示側計時部２２が計時する時刻を表示する。そのため、機器本体１が車両から取り外される、機器本体１の制御プログラムが更新される、或いは、機器本体１のマイコン１０が初期化される、等で機器本体１の計時部１７が計時する時刻が初期化され未調整となっても、表示側計時部２２が独立して計時する時刻に基づいて表示パネル６に時刻９を表示し続けることができ、電子機器１００の時刻表示の使い勝手を良くすることができる。
また、表示体２は、機器本体１の計時部１７が計時する時刻が初期化され未調整となっている場合、当該時刻が調整されるまで、表示側計時部２２が計時する時刻を表示するため、ユーザーが機器本体１の調整手段４０を操作して時刻を調整した場合には、ユーザーが調整した時刻に基づいて時刻９が表示される。そのため、例えば、複数の表示体２が機器本体１に接続されている場合には、各表示体２側で時刻の調整をする必要がなく、各表示体２に共通の時刻９を表示することができ、時刻表示の使い勝手を良くすることができる。また、機器本体１の計時部１７が計時する時刻が調整された後、計時部１７が計時する時刻に付されるフラグは、調整済みとなるため、表示体２は、機器本体１の計時部１７が計時する時刻が調整されたことを知ることができる。
【００４０】
次に、図５のフローチャートを用いて、電子機器１００の別の実施形態の動作、及び、時計表示方法について説明する。
上述の実施形態では、機器本体１から入力される時刻が調整されない場合は、表示体２の表示側マイコン２０は、表示側計時部２２が計時する時刻に基づいて表示パネル６に時刻９を表示し続ける構成とした。この場合、表示パネル６に表示される時刻９を特に調整する必要がない場合は、ユーザーは、時刻調整手段４０を操作しない、つまり機器本体１の計時部１７で計時する時刻の調整を行わない。そのため、機器本体１の計時部１７が計時する時刻は、未調整の状態のままとなる。
よって、この別の実施形態では、機器本体１のマイコン１０が時刻調整手段として機能し、機器本体１で計時される時刻が初期化され、未調整となった場合には、表示体２の表示側計時部２２が計時する時刻に基づいて、計時部１７が計時する時刻を調整するものである。なお、計時部１７が計時する時刻を表示側計時部２２が計時する時刻に基づいて調整した後には、機器本体１から出力される時刻に基づいて、表示パネル６に時刻９を表示するものである。
なお、この別の実施形態において、電子機器１００の構成は、図１、図２、図３で示した上述の実施形態の電子機器１００と同一であり、その説明を省略する。
【００４１】
表示体２の表示側マイコン２０は、表示パネル６に時刻９を表示するにあたって、まず、機器本体１から時刻が入力されているかを判定する（ステップＳ１１）。機器本体１から、時刻が入力されていると判定すると（ステップＳ１１：Ｙｅｓ）、表示側マイコン２０は、機器本体１から入力された時刻に未調整フラグが付されているかを判定する（ステップＳ１２）。機器本体１から入力された時刻に未調整フラグが付されていると判定すると（ステップＳ１２：Ｙｅｓ）、表示側マイコン２０は、表示側計時部２２で計時した時刻を外部通信部２１Ａを介して機器本体１に出力する（ステップＳ１３）。
【００４２】
また、ステップＳ１１において、機器本体１から、時刻が入力されていないと判定すると（ステップＳ１１：Ｎｏ）、表示側マイコン２０は、表示側計時部２２が計時した時刻を外部通信部２１Ａを介して機器本体１に出力する（ステップＳ１３）。
【００４３】
機器本体１のマイコン１０は、外部通信部１１Ａを介して表示体２から表示側計時部２２が計時した時刻を受信すると、表示体２から入力された時刻に基づいて計時部１７の内蔵時計の時刻を書き換えて、計時部１７が計時する時刻を調整する（ステップＳ１４）。マイコン１０は、続いて、計時部１７から出力される時刻に調整済みフラグを付して、外部通信部１１Ａを介して、時刻を表示体２に出力する（ステップＳ１５）。機器本体１から調整済みフラグが付された時刻が入力されると、表示体２の表示側マイコン２０は、機器本体１から入力された時刻に基づいて、表示パネル６に時刻９を表示する（ステップＳ１６）。
【００４４】
また、ステップＳ１２において、機器本体１から入力された時刻に未調整フラグが付されていない、或いは、調整済みフラグが付されていると判定すると（ステップＳ１２：Ｎｏ）、表示側マイコン２０は、機器本体１から入力された時刻に基づいて、表示パネル６に時刻９を表示する（ステップＳ１６）。
【００４５】
以上説明したように、本実施形態によれば、機器本体１のマイコン１０は、計時部１７が計時する時刻が初期化されている場合、又は、計時部１７が計時する時刻に未調整のフラグが付されている場合、表示体２の表示側計時部２２が計時する時刻に基づいて計時部１７が計時する時刻を調整する。そのため、機器本体１が車両１１０から取り外される、機器本体１の制御プログラムが更新される、或いは、機器本体１のマイコン１０が初期化される等で機器本体１の計時部１７が計時する時刻が初期化され、未調整となっても、機器本体１のマイコン１０が計時部１７が計時する時刻を表示側計時部２２が計時する時刻に基づいて調整するため、ユーザーは、機器本体１の計時部１７が計時する時刻が初期化され未調整となる度に時刻の調整をし直す必要がない。よって、ユーザーは、気兼ねなく時刻表示機能付きの電子機器１００の制御プログラムの更新や、ユニット本体の取り外しを行うことができるようになり、使い勝手が良くなる。
【００４６】
以上の説明において、機器本体１と表示体２は別体に形成される構成としたが、これに限らず、表示体２を機器本体１とは独立して動作させることができる電子機器１００であれば、表示体２と機器本体１とは一体に形成されている構成であっても良い。また、電子機器１００は車両に搭載され車両電源から電源の供給を受けて動作する場合を例に説明したが、これに限らず、機器本体と表示体とから構成される電子機器であって、少なくとも表示体の表示側計時部２２の電源系統を機器本体１の電源系統とは別にし、機器本体１の動作を停止している場合にも表示側計時部２２を独立して計時するような構成の電子機器に広く適用可能であることは勿論である。
【符号の説明】
【００４７】
１  機器本体（ヘッドユニット）
２  表示体
６  表示パネル
９  時刻
１０  マイコン（調整手段）
１１Ａ  外部通信部（出力手段）
１７  計時部（計時手段）
２０  表示側マイコン
２２  表示側計時部
４０  時刻調整手段（調整手段）
１００  電子機器
【図１】
2012173199.tif 000003
【図２】
2012173199.tif 000004
【図３】
2012173199.tif 000005
【図４】
2012173199.tif 000006
【図５】
2012173199.tif 000007